(57)【要約】本発明によると、ポータブル電子機器が収容されるボディーと、該ボディーの内側に形成されてポータブル電子機器に形成される開放型ポートに挿入される挿入型コネクタと、前記ボディーの外側に挿入型コネクタと電気的に連結されるように形成されて周辺器機の非挿入型コネクタが磁力を通じて面接触されるようにする非挿入型ポートで構成された非挿入型インターフェースを有する。
2015505270.tif 000002
【特許請求の範囲】
【請求項１】
ポータブル電子機器２００が収容されるボディー(Ａ)と、
前記ボディー(Ａ)の内側に形成されてポータブル電子機器２００に形成された開放型ポート２１０に挿入される挿入型コネクタ１１０と、前記ボディー(Ａ)の外側に挿入型コネクタ１１０と電気的に連結されるように形成されて、周辺器機３００の非挿入型コネクタ３１０が磁力を通じて面接触されるようにする非挿入型ポート１２０で構成された非挿入型インターフェース１００を有することを特徴とするポータブル電子機器用ケース。
【請求項２】
前記非挿入型ポート１２０は、
ボディー(Ａ)の接触面(ＰＳ)に形成されて非挿入型コネクタ３１０の接触面(ＣＳ)に具備された磁力結合部材３１１と磁力を通じて面接触結合されるようにする磁力結合部材１２１と、
前記接触面(ＰＳ)に形成されて前記磁力結合部材らの磁力結合時に非挿入型コネクタ３１０の接触端子３１２が非挿入接点されるようにする接触端子１２２と、を含むことを特徴とする請求項１に記載のポータブル電子機器用ケース。
【請求項３】
前記非挿入型ポート１２０は、
前記接触面(ＰＳ)に形成されて前記磁力結合部材らの磁力結合による接触端子らの非挿入接点が正確になされるように非挿入型コネクタ３１０のガイド３１３がガイドされるようにするガイド１２３をさらに含むことを特徴とする請求項２に記載のポータブル電子機器用ケース。
【請求項４】
前記磁力結合部材１２１は、
磁性部材または被磁性部材のうちでいずれか一つで構成されて、
磁性部材である場合には磁石または電磁石、永久磁石、単極または多極着磁のうちで少なくともいずれか一つを含んで、
被磁性部材である場合には前記磁性部材に磁力結合が可能な金属や強磁性体を含むことを特徴とする請求項２に記載のポータブル電子機器用ケース。
【請求項５】
前記接触端子１２２は、
端部が平面または凹溝を有する平面端子１２２ａと、
端部が内部に具備されたスプリングによって弾力を有するか、または端部だけが弾力を有しながら撓む弾力端子１２２ｂのうちでいずれか一つで構成されて、
前記平面端子１２２ａは、接触面(ＰＳ)に形成される通孔の内部に端子が陷沒された構造または通孔の平面に対応される構造で構成されて、
前記弾力端子１２２ｂは、接触面(ＰＳ)に形成される通孔の外側に端子が突き出された構造で構成されることを特徴とする請求項２に記載のポータブル電子機器用ケース。
【請求項６】
前記ガイド１２３は、
接触面(ＰＳ)に突出形成される陽刻ガイドと陷沒形成される陰刻ガイドのうちでいずれか一つに形成されることを特徴とする請求項３に記載のポータブル電子機器用ケース。
【請求項７】
前記ボディー(Ａ)に照明部材と照明拡散部材がさらに構成されることを特徴とする請求項１に記載のポータブル電子機器用ケース。
【発明の詳細な説明】
【技術分野】
【０００１】
本発明は、ポータブル電子機器用ケースに関するものであり、より詳細には、ポータブル電子機器の外部を保護するケースにおいて、ポータブル電子機器の開放型ポートに挿入型コネクタが挿入されて、前記挿入型コネクタに対応される非挿入型ポートに周辺機器用非挿入型コネクタが磁力を利用して非挿入接点されるようにすることができる非挿入型インターフェースを有するポータブル電子機器用ケースに関するものである。
【背景技術】
【０００２】
一般に、現代社会で通信のためにモバイルフォン、スマートフォン、タブレットＰＣなどのようなポータブル電子機器が必須に使用されている。前記のようなポータブル電子機器は、その価格が高価であることはもちろん、外表面の特殊処理などによって電子機器の保護のための多様な手段らが研究及び開発されて使用されている。特に、ポータブル電子機器を携帯する場合その電子機器の側面、背面及び角部分が他の物体と接触してきずまたはスクラッチなどが発生するか、または使用者の手の把持によって部分的に摩耗される場合を防止することはもちろん、電子機器の多様な操作ボタンまたはキーを保護するために電子機器を収容して外形を保護するようにする多様なケースが提案されて使用されている。
【０００３】
一方、前記のようなポータブル電子機器の場合に該当側面に充電手段などのような周辺器機のコネクタが接続されるようにして電子機器の充電ができるようにする開放型ポートが構成されていて、ケースは開放型ポートに周辺器機の挿入型コネクタが接続可能になるように該当通孔を形成しているし、これに前記のような開放型ポートの接点端子に周辺器機の挿入型コネクタの接点端子が物理的に接点されて、該当周辺器機の利用、すなわち、充電などができるようにしている。
【０００４】
しかし、前記のようなポータブル電子機器の開放型ポートは、通常に‘凹'の溝形状の構造を有して、周辺器機の挿入型コネクタは通常に‘凸'の突起形状の構造を有するために、相互間に繰り返し的な結合及び分離によってコネクタらの物理的接点状態が緩くなって、接点端子の接触状態が不良になるか、または分離時に前記コネクタらの接点端子が分離方向によって撓めるか、または曲がるなどの損傷や破損が発生するようになる問題点がある。
【０００５】
また、前記開放型ポートと挿入型コネクタが逆方向に結合されるか、または誤った使い方で無理な力が加えられる場合に接点端子の破損と共に接点端子に連結された印刷回路基板が破損される恐れがあり、このような場合にこれを入れ替らなければならないなどの経済的な損失が発生する問題点がある。
【０００６】
また、常に開放型ポートが開放された状態を有することで、ほこりや水などのような異物が流入される場合に不安定な接続状態を惹起させて美観を低下させる問題点がある。
【発明の開示】
【発明が解決しようとする課題】
【０００７】
したがって本発明の目的は、ポータブル電子機器の外部を保護するケースにおいて、ポータブル電子機器の開放型ポートに挿入型コネクタが挿入されて前記挿入型コネクタに対応される非挿入型ポートに、周辺機器用非挿入型コネクタが磁力を利用して非挿入接点されるようにすることができる非挿入型インターフェースを有するポータブル電子機器用ケースを提供することにある。
【課題を解決するための手段】
【０００８】
本発明によると、ポータブル電子機器が収容されるボディーと、該ボディーの内側に形成されてポータブル電子機器に形成された開放型ポートに挿入される挿入型コネクタと、前記ボディーの外側に挿入型コネクタと電気的に連結されるように形成されて周辺器機の非挿入型コネクタが磁力を通じて面接触されるようにする非挿入型ポートで構成された非挿入型インターフェースを有するポータブル電子機器用ケースが提供される。
【０００９】
ここで、前記非挿入型ポートは、ボディーの接触面に形成されて非挿入型コネクタの接触面に具備された磁力結合部材と磁力を通じて面接触結合されるようにする磁力結合部材と、前記接触面に形成されて前記磁力結合部材らの磁力結合時に非挿入型コネクタの接触端子が非挿入接点されるようにする接触端子を含むものが望ましい。
【００１０】
ここで、前記非挿入型ポートは、前記接触面に形成されて前記磁力結合部材らの磁力結合による接触端子らの非挿入接点が正確になされるように非挿入型コネクタのガイドがガイドされるようにするガイドをさらに含むものが望ましい。
【発明の効果】
【００１１】
本発明によると、ポータブル電子機器の開放型ポートに非挿入型インターフェース挿入型コネクタが挿入接続されるようにケースのボディーにポータブル電子機器が収容された状態で周辺器機の非挿入型コネクタが磁力を利用して非挿入型インターフェースの非挿入型ポートに非挿入接点されることで、ポータブル電子機器に周辺器機の連結がより簡便で堅固で安定的な接触状態を維持するようにすることができる。
【００１２】
また、ポータブル電子機器がケースに収容された状態で携帯が可能であるようにさせて、ポータブル電子機器の審美感を向上させると共に開放型ポートを通じて異物が挿入されることを防止することができるし、また、外部の衝撃から電子機器を保護することができる。
【図面の簡単な説明】
【００１３】
【図１】図１は本発明の望ましい実施例による非挿入型インターフェースを有するポータブル電子機器用ケースを示した斜視図である。
【図２】図２は図１の非挿入型インターフェースの非挿入型ポートに周辺器機の非挿入型コネクタが接触された状態を示した図面である。
【図３】図３は図１の非挿入型インターフェースの非挿入型ポートと周辺機器用非挿入型コネクタの多様な実施例を示した図面である。
【図４】図４は図３の非挿入型ポートと非挿入型コネクタにおいて、印刷回路基板に具備される接触端子の一実施例を示した図面である。
【発明を実施するための最良の形態】
【００１４】
以下、添付された図面を参照しながら本発明の望ましい実施例に対して詳しく説明する。
【００１５】
図１乃至図４に示されたところのように、本発明の望ましい実施例による非挿入型インターフェースを有するポータブル電子機器用ケース(ＥＣ)は、ポータブル電子機器２００の外形を囲みながら保護できるように該当電子機器のディスプレイ部を除いた外形に対応される形状を有するボディー(Ａ)と、該ボディー(Ａ)の一側、すなわち、下側面に形成されてポータブル電子機器２００に形成された開放型ポート２１０に挿入される挿入型コネクタ１１０及び前記ボディー(Ａ)の他側に挿入型コネクタ１１０と電気的に連結されるように形成されて、周辺器機３００の非挿入型コネクタ３１０が磁力を通じて面接触されるようにする非挿入型ポート１２０を含む非挿入型インターフェース１００で構成される。
【００１６】
すなわち、本発明によるケース(ＥＣ)の非挿入型インターフェース１００は、ポータブル電子機器２００の開放型ポート２１０の開放部位を挿入型コネクタ１１０が挿入されることで密閉してこれに連結される非挿入型ポート１２０は原初的に密閉されていることで、前記開放型ポート２１０が開放型で構成される時に発生される問題点を防止することができる。
【００１７】
また、前記ケース(ＥＣ)の非挿入型インターフェース１００は、非挿入型ポート１２０に周辺器機３００の非挿入型コネクタ３１０が磁力によって接触された状態を有することで、前記周辺器機３００のコネクタが従来のように突き出型で挿入接触される時に発生される問題点を防止することができる。
【００１８】
以下、本発明の望ましい実施例による非挿入型インターフェース１００を有するポータブル電子機器用ケース(ＥＣ)に対してより詳しく説明することにする。
【００１９】
前記ボディー(Ａ)は、モバイルフォン、スマートフォン、タブレットＰＣなどのようなポータブル電子機器２００のディスプレイ部を除いた外部を囲むことができる形状を有して、フレキシブル材質で形成されるか、または連結部材によって複数個のピースが一つで連結されるようにして後述された非挿入型インターフェース１００の挿入型コネクタ１１０とポータブル電子機器２００の開放型ポート２１０との電気的接点を容易にすることができる多様な構造及び組み立て方式によって構成されることができる。
【００２０】
ここで、前記ボディー(Ａ)は、ポータブル電子機器２００を衝撃から保護するバンパーの役割も遂行することができるし、前記ボディー(Ａ)に後述された挿入型コネクタ１１０に連結されて、電子機器から供給される電力によって発光動作する複数個のＬＥＤランプのような照明部材と照明拡散部材がさらに構成されて、前記ポータブル電子機器２００の開放型ポート２１０に挿入型コネクタ１１０の連結時に仄かな照明の役割を遂行できるようにすることができて、また、多様なカラーのアクセサリーがさらに具備されて審美感を向上させるものが良い。
【００２１】
前記挿入型コネクタ１１０は、前記ボディー(Ａ)の一側、すなわち、挿入面(ＩＳ)にポータブル電子機器２００の開放型ポート２１０に対応されるように形成されて、前記開放型ポート２１０に挿入接続されることで、前記開放型ポート２１０が充電ポートなどのような形状を有する場合前記ポートに挿入されるための該当形状を有するコネクタを含む。
ここで、前記挿入型コネクタ１１０と開放型ポート２１０の構造は、既に公知の技術であるので、これに対する詳細な説明は略することにする。
【００２２】
前記非挿入型ポート１２０は、前記ボディー(Ａ)の他側、すなわち、接触面(ＰＳ)に前記挿入型コネクタ１１０に電気的に対応されるように形成されて、相互間通信可能な状態で具備されて周辺器機３００の非挿入型コネクタ３１０が磁力を通じて面接触されるようにする連結ポートであり、ボディー(Ａ)の接触面(ＰＳ)に形成されて非挿入型コネクタ３１０の接触面(ＣＳ)に具備された磁力結合部材３１１と磁力を通じて面接触結合されるようにする磁力結合部材１２１、前記接触面(ＰＳ)に形成されて前記磁力結合部材らの磁力結合時に非挿入型コネクタ３１０の接触端子３１２が非挿入接点されるようにして、相互間の電源及びデータが伝送されるようにする接触端子１２２及び前記接触面(ＰＳ)に形成されて、前記磁力結合部材らの磁力結合による接触端子らの非挿入接点が正確になされるように非挿入型コネクタ３１０のガイド３１３がガイドされるようにするガイド１２３を含む。
【００２３】
ここで、前記ケース(ＥＣ)の非挿入型インターフェース１００の非挿入型ポート１２０に連結される周辺器機３００の非挿入型コネクタ３１０は、前記非挿入型ポート１２０に磁力を通じて面接触されるようにするコネクタであり、コネクタケースの接触面(ＣＳ)に形成されて、前記磁力結合部材１２１に磁力結合される磁力結合部材３１１、前記接触面(ＣＳ)に形成されて前記磁力結合部材らの磁力結合時に前記接触端子１２２に非挿入接点されて相互間の電源及びデータが伝送されるようにする接触端子３１２及び前記接触面(ＣＳ)に形成されて、前記磁力結合部材らの磁力結合による接触端子らの非挿入接点が正確になされるように前記ガイド１２３にガイドされるガイド３１３を含むものが望ましい。
【００２４】
前記磁力結合部材１２１は、ボディー(Ａ)の接触面(ＰＳ)に形成されて非挿入型コネクタ３１０の接触面(ＣＳ)に具備された磁力結合部材３１１との磁力を通じて面接触結合されるようにする結合部材であり、前記ボディー(Ａ)の接触面(ＰＳ)に多様な形状と面積を有しながら位置されることができるが、例えば、図３に示されたところのように、前記接触端子１２２とガイド１２３部分を除いた接触面(ＰＳ)の面積に対応される面積を有するか、または、接触端子１２２とガイド１２３の一側に該当面積を有しながら具備されるか、または、ガイド１２３と一体で具備されることができる。
【００２５】
ここで、前記磁力結合部材１２１は、磁性部材または被磁性部材のうちでいずれか一つで構成されるが、磁性部材である場合には磁石または電磁石、永久磁石、単極または多極着磁のうちで少なくともいずれか一つであるものが望ましくて、被磁性部材である場合には前記磁性部材に磁力結合が可能な金属や強磁性体を含むものが望ましい。
【００２６】
これに、前記磁力結合部材１２１は、周辺器機３００の非挿入型コネクタ３１０の磁力結合部材３１１が磁性部材である場合には、相互間の磁力を通じて結合されることができるように前記磁性部材に対して引力を有する磁性部材であるか、または被磁性部材であるものが望ましくて、前記磁力結合部材３１１が被磁性部材である場合には相互間の磁力を通じて結合されることができるように磁性部材であるものが望ましい。
【００２７】
一方、前記磁力結合部材１２１、３１１が磁石である場合には磁石を物理的に分けないで着磁ヨークという設備を通じて上下単極、２極及び４極着磁で製造して多様な個数の極性を有するようにすることができて、また、金属体が該当磁石の背面部または左右側部または上下側部のうちで少なくともいずれか１ヶ所に位置されて、磁力の直進性確保を通じた磁力向上ができるようにすることもでき、磁石らの間の磁力結合時に該当極性どうしだけが結合されるようにして、前記非挿入型ポート１２０と非挿入型コネクタ３１０が方向性を有しながら接点されなければならない場合に逆方向接点を防止することもできる。
したがって、前記非挿入型ポート１２０の磁力結合部材１２１によると、ボディー(Ａ)の接触面(ＰＳ)に非挿入型コネクタ３１０の接触面(ＣＳ)が面接触される場合磁力結合部材３１１が磁力を通じて結合されるようにすることができる。
【００２８】
前記接触端子１２２は、前記接触面(ＰＳ)の内側に具備される印刷回路基板にメッキ工法によって基板に一体で形成されるか、またはピンの形状を通じて実装されることができる。
【００２９】
ここで、前記接触端子１２２は、図３に示されたところのように、前記ボディー(Ａ)の接触面(ＰＳ)に多様な個数で配置されることができるし、また、図４に示されたところのように、その端部が平面または凹溝を有する平面端子１２２ａとその端部が内部に具備されたスプリングによって弾力を有しながら印刷回路基板側に反動挿入されるか、または端部だけが弾力を有しながら印刷回路基板側に撓む弾力端子１２２ｂで構成されることができるが、前記平面端子１２２ａは接触面(ＰＳ)に形成される通孔の内部に端子が陷沒された構造または通孔の平面に対応される構造で構成されて、前記弾力端子１２２ｂは接触面(ＰＳ)に形成される通孔の外側に端子が一部突き出された構造で構成される。
【００３０】
これに、前記接触端子１２２は、周辺器機３００の非挿入型コネクタ３１０の接触端子３１２が平面端子３１２ａである場合には、相互間に電気的接点が可能になるように弾力端子１２２ｂで構成されるものが望ましくて、前記接触端子３１２が弾力端子３１２ｂである場合には、相互間の電気的接点が可能になるように平面端子１２２ａで構成されるものが望ましい。
【００３１】
したがって、前記非挿入型ポート１２０の接触端子１２２によると、ボディー(Ａ)の接触面(ＰＳ)に非挿入型コネクタ３１０の接触面(ＣＳ)が面接触のための磁力結合部材１２１、３１１らが磁力結合時に相互間弾力的に接点されて、非挿入型ポート１２０と非挿入型コネクタ３１０の間の電源及びデータ伝送が可能になるようにすることができる。
【００３２】
この時、前記非挿入型ポート１２０の接触端子１２２が位置される印刷回路基板は、挿入型コネクタ１１０の印刷回路基板と電気的に接続された状態を有するものが望ましくて、これを通じて、挿入型コネクタ１１０がポータブル電子機器２００の開放型ポート２１０に挿入時に電源及びデータが伝送されるようにすることができる。
【００３３】
一方、前記印刷回路基板に接触端子１２２が形成されることは、印刷回路基板を製作するメッキ過程で一体で形成されること以外にも、通電が可能なある物質、すなわち、ピンやエッチング及びプレスなどで加工された鉄片を組立てるなど多様な方法によってなされることができる。
【００３４】
前記ガイド１２３は、非挿入型コネクタ３１０が接触面(ＰＳ)に面接触時に前記接触面(ＰＳ)に形成されて、前記磁力結合部材らの磁力結合による接触端子らの非挿入接点が意図されたどおりに正確になされるように非挿入型コネクタ３１０のガイド３１３をガイドするガイド部材であり、前記ボディー(Ａ)の接触面(ＰＳ)に多様な形状と面積を有しながら位置されることができるが、例えば、図３に示されたところのように、前記複数個の接触端子１２２を一つの群で囲むか、または、接触面(ＰＳ)の該当位置に磁力結合部材１２１を含みながら形成されるか、または、接触面(ＰＳ)の該当位置に単一または複数個で独立形成されることができる。
【００３５】
ここで、前記ガイド１２３は、接触面(ＰＳ)に突出形成される陽刻ガイドと陷沒形成される陰刻ガイドのうちでいずれか一つで形成されることができるが、周辺器機３００の非挿入型コネクタ３１０のガイド３１３が陽刻ガイドである場合には、相互間に挿入結合されることができるように陰刻ガイドで形成されるものが望ましくて、非挿入型コネクタ３１０のガイド３１３が陰刻ガイドである場合には相互間に挿入結合されることができるように陽刻ガイドで形成されるものが望ましくて、これを通じて前記非挿入型ポート１２０と非挿入型コネクタ３１０が方向性を有しながら接点されなければならない場合に逆方向接点を防止することもできる。
【００３６】
したがって、前記非挿入型ポート１２０のガイド１２３によると、非挿入型コネクタ３１０が接触面(ＰＳ)に面接触時前記磁力結合部材らの磁力結合による接触端子らの非挿入接点が意図されたどおりに正確になされるように非挿入型コネクタ３１０のガイド３１３をガイドすることで、非挿入型コネクタ３１０が接触部位から非意図的に分離されることを防止すると共に形状によっては、接触端子らが逆方向に接点されることも防止することができる。
【００３７】
一方、前記ガイド１２３は、前記接触面(ＰＳ)に前記非挿入型コネクタ３１０の接触面(ＣＳ)側のコネクタケース(Ｃ)の外形に対応されるように具備されることもでき、これを通じて、前記非挿入型コネクタ３１０の接触面(ＣＳ)が非挿入型ポート１２０の接触面(ＰＳ)に正確に位置されるようにすることができる。
【００３８】
したがって、前記非挿入型ポート１２０によると、周辺器機３００の非挿入型コネクタ３１０が非挿入型ポート１２０にガイドされながら磁力によって面接触されると共に端子らが非挿入接点されるようにすることで、非挿入型コネクタ３１０との容易な連結及び分離ができるようにして、また、これを通じて、従来のような端子らの不安定な接続及び構成部らの破損を防止することができる。
【００３９】
一方、本発明の望ましい実施例によるケース(ＥＣ)の非挿入型インターフェース１００に連結される周辺機器用非挿入型コネクタ３１０は、前記のように、コネクタケースの接触面(ＣＳ)に形成される磁力結合部材３１１、接触端子３１２及びガイド３１３を含んで、それぞれの磁性部材または被磁性部材、平面端子３１２ａと弾力端子３１２ｂ及び陽刻ガイドと陰刻ガイドは、前記非挿入型ポート１２０の磁性部材または被磁性部材、平面端子１２２ａと弾力端子１２２ｂ及び陽刻ガイドと陰刻ガイドと同一な構造と方法によって構成される。
【００４０】
したがって、前記コネクタケースの接触面(ＣＳ)に形成される磁力結合部材３１１、接触端子３１２及びガイド３１３と非挿入型ポート１２０の磁力結合部材１２１、接触端子１２２及びガイド１２３は、相互間に対向される構成、すなわち、磁性部材と被磁性部材、平面端子と弾力端子及び陽刻ガイドと陰刻ガイドがそれぞれいずれか一つの構成に対向されるように構成されることで、非挿入型ポート１２０と非挿入型コネクタ３１０の相互間対向結合されるようにして、周辺器機３００とポータブル電子機器２００との間の電源及びデータ伝送がなされるようにすることが望ましい。
【００４１】
この時、前記磁力結合部材１２１、３１１は、非挿入型ポート１２０と非挿入型コネクタ３１０にすべて構成されるか、またはいずれか一つのみに構成されても関係ない。
【００４２】
また、前記非挿入型コネクタ３１０は、該当周辺器機３００の既存コネクタの端子に別に接続されるジェンダータイプで構成されるか、または該当周辺器機３００に電線端部に既存コネクタの代りに直接連結される一体タイプで構成されることができるが、前記ジェンダータイブで構成される場合既存の端子を完全に収納して囲むか、または既存の端子がコネクタケースの後側面に挿入されるように多様に構成されることができるし、ジェンダータイプの場合紛失を防止するためにコネクタケースに周辺器機３００の電線などに掛けがねなどのような紛失防止手段を通じて連結されるものが望ましい。
【００４３】
一方、本発明においては、前記非挿入型コネクタ３１０が非挿入型ポート１２０に面接触される場合それぞれのガイド１２３、３１３によって接触面らがガイドされるようにしているが、前記磁力結合部材１２１、３１１らの陽刻と陰刻を通じて、これに対する機能は遂行されることができることは当業者には明らかな事実であるので、これに対する詳細な説明は略することにする。
【００４４】
以下、本発明の望ましい実施例による非挿入型インターフェース１００を有するポータブル電子機器用ケース(ＥＣ)及びこれに連結される周辺器機３００のコネクタ３１０の作用と効果に対して説明すれば次のようである。
【００４５】
先ず、ポータブル電子機器２００に形成された開放型ポート２１０に非挿入型インターフェース１００の挿入型コネクタ１１０が挿入接続されるようにケース(ＥＣ)ボディー(Ａ)にポータブル電子機器２００が収容される。
【００４６】
したがって前記ケース(ＥＣ)は、ポータブル電子機器２００を収容した状態で携帯が可能であり、また、ポータブル電子機器２００に開放型ポート２１０が開放形成されたことに比べてボディー(Ａ)の接続面に開放型ポート２１０に対応されるように形成される非挿入型ポート１２０が密閉感を有しながら位置されて、異物の挿入を防止してポータブル電子機器２００の審美感を向上させることができる。
【００４７】
この状態で、周辺器機３００の使用時、前記ボディー(Ａ)の接続面に位置される非挿入型インターフェース１００の非挿入型ポート１２０に周辺器機３００の非挿入型コネクタ３１０が面接触するようになる。
【００４８】
この時、前記非挿入型コネクタ３１０のガイド３１３は、非挿入型ポート１２０のガイド１２３にガイドされる動作によって、それぞれに構成された磁力結合部材１２１、３１１らは相互間に磁力結合するようになって、これによって、それぞれに構成された接触端子１２２、３１２が相互間に電気的接点されることで、非挿入型コネクタ３１０との容易な連結及び分離ができるようにして、また、これを通じて、従来のような長年の使用によって接触端子らが不安定な接続状態を有するようになることによって発生される問題点を防止することができる。
【００４９】
これに、詳述したところのような本発明によると、ポータブル電子機器の開放型ポートに非挿入型インターフェース挿入型コネクタが挿入接続されるようにケースのボディーにポータブル電子機器が収容された状態で周辺器機の非挿入型コネクタが磁力を利用して非挿入型インターフェースの非挿入型ポートに非挿入接点されることで、ポータブル電子機器に周辺器機の連結がより簡便で堅固で安定的な接触状態を維持できるようにすることができる。
【００５０】
また、ポータブル電子機器がケースに収容された状態で携帯が可能であるようにさせて、ポータブル電子機器の審美感を向上させると共に開放型ポートを通じて異物が挿入されることを防止することができるし、また、外部の衝撃から電子機器を保護することができる。
【産業上の利用可能性】
【００５１】
本発明によると、ポータブル電子機器の開放型ポートに非挿入型インターフェース挿入型コネクタが挿入接続されるようにケースのボディーにポータブル電子機器が収容された状態で周辺器機の非挿入型コネクタが磁力を利用して非挿入型インターフェースの非挿入型ポートに非挿入接点されることで、ポータブル電子機器に周辺器機の連結がより簡便で堅固で安定的な接触状態を維持するようにすることができる。
【００５２】
また、ポータブル電子機器がケースに収容された状態で携帯が可能であるようにさせて、ポータブル電子機器の審美感を向上させると共に開放型ポートを通じて異物が挿入されることを防止することができるし、また、外部の衝撃から電子機器を保護することができる。
【図１】
2015505270.tif 000003
【図２】
2015505270.tif 000004
【図３（ａ）】
2015505270.tif 000005
【図３（ｂ）】
2015505270.tif 000006
【図３（ｃ）】
2015505270.tif 000007
【図３（ｄ）】
2015505270.tif 000008
【図３（ｅ）】
2015505270.tif 000009
【図３（ｆ）】
2015505270.tif 000010
【図３（ｇ）】
2015505270.tif 000011
【図４】
2015505270.tif 000012
【国際調査報告】
2015505270.tif 000013
2015505270.tif 000014
2015505270.tif 000015
2015505270.tif 000016